(57)【要約】      （修正有）【課題】縫う工程のみで布製品を作成する場合や、別途接着剤を塗布して布製品を作製する場合と比較して、簡単に布製品を作成することができる転写シートの提供。【解決手段】転写シート１０は、基体２０と、基体２０から剥離可能であって、画像１００が形成され、布２００に転写される転写層３０とを有し、画像１００は、転写層３０と共に布２００に転写されることで、布製品の表側の面となる表面領域と、折り返して布２００の裏面に接着される接着領域と、表面領域と接着領域との間に位置し、折り返される折返領域とを布２００に形成する。【選択図】図１
2020084332.tif 000002
【特許請求の範囲】
【請求項１】
基体と、
前記基体から剥離可能であって、画像が形成され、布に転写される転写層と、
を有し、
前記画像は、前記転写層と共に布に転写されることで、布製品の表側の面となる表面領域と、折り返して布の裏面に接着される接着領域と、前記表面領域と前記接着領域との間に位置し、折り返される折返領域と、を布に形成する転写シート。
【請求項２】
前記画像は、柄を有する前記表面領域を布に形成する請求項１記載の転写シート。
【請求項３】
前記画像は、前記転写層が転写された布に、布を裁断する位置を案内する裁断案内部をさらに形成する請求項１又は２記載の転写シート。
【請求項４】
前記画像は、前記転写層が転写された布に、布を折る位置を案内する折位置案内部をさらに形成する請求項１から３いずれか記載の転写シート。
【請求項５】
前記転写層は、少なくとも熱可塑性の樹脂を含有し、加熱により接着性を発揮する請求項１から４いずれか記載の転写シート。
【請求項６】
前記画像は、前記転写層が転写された布に、裁断後の布片を互いに接合する位置を案内する接合位置案内部をさらに形成する請求項１から５いずれか記載の転写シート。
【請求項７】
前記画像は、前記転写層が転写された布に処理を施す手順を案内する手順案内部をさらに形成する請求項１から６いずれか記載の転写シート。
【請求項８】
前記転写層は、布に転写された後に布の端部のほつれを抑制する請求項１から７いずれか記載の転写シート。
【請求項９】
基体と、前記基体から剥離可能であって、画像が形成され、布に転写される転写層とを有する転写シートから前記転写層が転写され、
前記転写層が転写されることで、布製品の表側の面となる表面領域と、折り返して布の裏面に接着される接着領域と、前記表面領域と前記接着領域との間に位置し、折り返される折返領域とが形成された布。
【発明の詳細な説明】
【技術分野】
【０００１】
本発明は、転写シート及び布に関する。
【背景技術】
【０００２】
特許文献１には、ジャカード組織にて形成される布帛であって、前記布帛の面上に、布製品の実質的に全パーツとなる、輪郭線に沿って実質的に閉じられた多数の区域が分布していることを特徴とする布帛が記載されている。
【０００３】
特許文献２には、縫製方法を指示する表示が印刷されていることを特徴とする芯地が記載されている。
【０００４】
特許文献３には、従来のデザイナーが作成した型パターンに合わせて布をカットしたのち縫製した製法と異なり、製織機械により製織される２巾（Ｗ）の織物（１０）に、前身頃布パターン（１１）、後身頃布パターン（１２）等を並んで相対的に配置し、該身頃布パターン（１１）（１２）等の縁部（１３）（１４）（１５）（１６）（１７）（１８）等の各部を、耳組織（２０）にて製織形成させ、組成に不要な経糸（２１）等をカットして、じかに縫製が可能な各布パターンに形成してなることを特徴とする衣服布パターンの製織法が記載されている。
【先行技術文献】
【特許文献】
【０００５】
【特許文献１】特開２００５−２４８８号公報
【特許文献２】特開２００４−６８１９５号公報
【特許文献３】特開２０００−１９２３１５号公報
【発明の概要】
【発明が解決しようとする課題】
【０００６】
布製品をつくる場合に、組み立てる際には縫う工程または別途接着剤を塗布する必要がある。また縫って作成する際は布の柄、デザインの妨げにならないような糸を選定する必要がある。  
【０００７】
本発明は、縫う工程でのみ布製品を作成したり、別途接着剤を塗布して布製品を作製する場合と比較して、簡単に布製品を作成することができる転写シートを提供することを目的とする。
【課題を解決するための手段】
【０００８】
請求項１に係る本発明は、
基体と、
前記基体から剥離可能であって、画像が形成され、布に転写される転写層と、
を有し、
前記画像は、前記転写層と共に布に転写されることで、布製品の表側の面となる表面領域と、折り返して布の裏面に接着される接着領域と、前記表面領域と前記接着領域との間に位置し、折り返される折返領域と、を布に形成する転写シートである。
【０００９】
請求項２に係る本発明は、前記画像は、柄を有する前記表面領域を布に形成する請求項１記載の転写シートである。
【００１０】
請求項３に係る本発明は、前記画像は、前記転写層が転写された布に、布を裁断する位置を案内する裁断案内部をさらに形成する請求項１又は２記載の転写シートである。
【００１１】
請求項４に係る本発明は、前記画像は、前記転写層が転写された布に、布を折る位置を案内する折位置案内部をさらに形成する請求項１から３いずれか記載の転写シートである。
【００１２】
請求項５に係る本発明は、前記転写層は、少なくとも熱可塑性の樹脂を含有し、加熱により接着性を発揮する請求項１から４いずれか記載の転写シートである。
【００１３】
請求項６に係る本発明は、前記画像は、前記転写層が転写された布に、裁断後の布片を互いに接合する位置を案内する接合位置案内部をさらに形成する請求項１から５いずれか記載の転写シートである。
【００１４】
請求項７に係る本発明は、前記画像は、前記転写層が転写された布に処理を施す手順を案内する手順案内部をさらに形成する請求項１から６いずれか記載の転写シートである。
【００１５】
請求項８に係る本発明は、前記転写層は、布に転写された後に布の端部のほつれを抑制する請求項１から７いずれか記載の転写シートである。
【００１６】
請求項９に係る本発明は、
基体と、前記基体から剥離可能であって、画像が形成され、布に転写される転写層とを有する転写シートから前記転写層が転写され、
前記転写層が転写されることで、布製品の表側の面となる表面領域と、折り返して布の裏面に接着される接着領域と、前記表面領域と前記接着領域との間に位置し、折り返される折返領域とが形成された布である。
【発明の効果】
【００１７】
請求項１に係る本発明によれば、縫う工程でのみ布製品を作成したり、別途接着剤を塗布して布製品を作製する場合と比較して、簡単に布製品を作成することができる転写シートを提供することを目的とする。
【００１８】
請求項２に係る本発明によれば、画像が柄を有しない場合と比較して、布製品を製造する布の選択の自由度を広げることができる。
【００１９】
請求項３に係る本発明によれば、裁断案内部の形成と接着領域の形成とを別の工程とする場合と比較して、工程数を減らすことができる。
【００２０】
請求項４に係る本発明によれば、折位置案内部の形成と、接着領域の形成とを別の工程とする場合と比較して、工程数を減らすことができる。
【００２１】
請求項５に係る本発明によれば、転写層とは別の接着剤を用いる場合と比較して、工程数を減らすことができる。
【００２２】
請求項６に係る本発明によれば、接合案内部が形成されない場合と比較して、複数の布片を互いに接合する位置の間違いを生じにくくすることができる。
【００２３】
請求項７に係る本発明によれば、手順案内部が形成されない場合と比較して、処理の手順の間違いを生じにくくすることができる。
【００２４】
請求項８に係る本発明によれば、転写層の転写とは別に布の端部のほつれを抑制する処理をする場合と比較して、工数を減らすことができる。
【００２５】
請求項９に係る本発明によれば、折り返して布の裏側に接着される接着領域を布に形成しない場合と比較して、簡単に布製品を作成することができる。
【図面の簡単な説明】
【００２６】
【図１】転写シートの構成と、転写シートの転写層が布に転写される工程とを説明し、図１（Ａ）は、画像が形成される前の転写シートを示す断面図であり、図１（Ｂ）は、画像が形成された転写シートを示す断面図であり、図１（Ｃ）は、画像が形成された転写シートが布に載せられる工程を説明する図であり、図１（Ｄ）は、転写層が布に転写される工程を説明する図であり、図１（Ｅ）は、転写層が転写された布から基体を剥離する工程を説明する図である。
【図２】転写層が転写された布の一例を示す図である。
【図３】裁断された布の端部の処理を説明する図である。
【図４】布から切り出された布片の一つを示す図である。
【図５】布から切り出された布片の他の一つを示す図である。
【発明を実施するための形態】
【００２７】
次に、本発明を実施するための形態を、図面を参照して説明する。図１には、本発明の実施形態の一例である転写シート１０の構成と、転写シート１０の転写層３０が、布２００に転写される構成とが説明されている。図１（Ａ）に示すように、転写シート１０は、基体２０と、基体２０から剥離可能な転写層３０とを有する。転写層３０は、少なくとも熱可塑性樹脂を含有していて、加熱により接着性を発揮する材料からなる。また、転写層３０は、透明な材質からなることが望ましい。
【００２８】
図１（Ｂ）に示すように、転写層３０には、例えばトナーを用いて、例えば電子写真方式を採用したプリンタや複合機等の画像形成装置（不図示）によって、画像１００が形成される。この際、画像１００は、布２００の表面に形成したい画像の鏡像として形成される。
【００２９】
図１（Ｃ）に示すように、転写層３０に画像１００が形成された転写シート１０は、転写層３０が布２００に接するように、布２００に載せられる。尚、布２００は、転写層３０が形成される前は、柄がなく、例えば白一色等の無地である。
【００３０】
そして、図１（Ｄ）に示すように、転写層３０が布２００に接する状態にある転写シート１０が布２００に押し付けられ、さらには加熱されることで、転写層３０が、画像１００と一体として布２００に転写される。
【００３１】
そして、図１（Ｅ）に示すように、転写層３０が転写され、転写層３０が冷却されて硬化した後に、布２００から基体２０が剥離されると、布２００に転写層３０と画像１００とが転写された状態となる。
【００３２】
図２には、転写層３０と画像１００とが転写された布２００が示されている。布２００は、布２００が裁断されることで複数の布片とされ、これらの複数の布片が接合されることで、布製品の一例である人形（不図示）用の服（以下、単に服と称する）が製造されるものである。より具体的には、布２００は、前身頃部２１０が裁断されることで服の前身頃とされ、後身頃部２１２が切断さることで服の後身頃とされ、右袖部２１４が裁断されることで服の右袖とされ、左袖部２１６が切断されることで服の左袖とされ、これらが接合されることで人形用の服とされる。
【００３３】
また、布２００の転写層３０が転写されている領域を転写領域２３０として、布２００の転写層３０が転写されていない領域を非転写領域２３２とすると、図２に示すように、布２００の縁部に非転写領域２３２が配置されていて、非転写領域２３２に囲まれるように、布２００の内側に転写領域２３０が配置されている。そして、転写領域２３０は、先述のように樹脂を含有する転写層３０が転写された領域である。このため、布２００の端部にほつれが生じたとしても、そのほつれは非転写領域２３２にとどまり、布２００の転写領域２３０には、ほつれは生じない。このように、転写層３０は、布２００に転写された後に布２００の端部のほつれを抑制している。
【００３４】
また、図２に示すように、画像１００は、転写層３０と共に布２００に転写されることで、布２００に、服の表側の面となる表面領域の一例である表面領域２１０ａと、表面領域２１２ａと、表面領域２１４ａと、表面領域２１６ａとを形成する。ここで、表面領域２１０ａは、服の前身頃の表側の面となる部分であり、表面領域２１２ａは、服の後身頃の表側の面となる部分であり、表面領域２１４ａは、服の右袖の表側の面となる部分であり、表面領域２１６ａは、服の左袖の表側の面となる部分である。
【００３５】
また、上述の表面領域は、柄を有するものであってもよい。例えば、図２に示すように、表面領域２１０ａは、ストライブ柄２１０ｂと、リボン柄２１０ｃとを有し、表面領域２１２ａは、ストライプ柄２１２ｂを有する。ここで、柄は、無地を含む。例えば、転写層３０が転写されていない状態の布２００の色とは異なる色で塗りつぶされた表面領域は、柄を有する表面領域である。
【００３６】
また、画像１００は、転写層３０と共に布２００に転写されることで、布２００に、折り返して布２００の裏側に接着される接着領域の一例である接着領域２１０ｄと、接着領域２１２ｄと、接着領域２１４ｄと、接着領域２１６ｄとを形成する。ここで、布の裏側とは、布２００の接着領域２１０ｄが形成された面と逆側の面をいう。
【００３７】
また、画像１００は、転写層３０と共に布２００に転写されることで、布２００に、折返領域の一例である折返領域２１０ｅと、折返領域２１２ｅと、折返領域２１４ｅと、折返領域２１６ｅとを形成する。図２に示すように、折返領域２１０ｅは、表面領域２１０ａと接着領域２１０ｄとの間に位置し、折り返される領域である。また、折返領域２１２ｅは、表面領域２１２ａと接着領域２１２ｄとの間に位置し、折り返される領域である。また、折返領域２１４ｅは、表面領域２１４ａと接着領域２１４ｄとの間に位置し、折り返される領域である。また、折返領域２１６ｅは、表面領域２１６ａと接着領域２１６ｄとの間に位置し、折り返される領域である。
【００３８】
また、画像１００は、転写層３０と共に布２００に転写されることで、図２に示すように、布２００に、裁断案内部の一例である裁断線２１０ｆと、裁断線２１２ｆと、裁断線２１４ｆと、裁断線２１６ｆとを形成する。ここで、裁断線２１０ｆは、布２００から前身頃部２１０を切り出すために布２００を裁断する位置を案内していて、裁断線２１２ｆは、布２００から後身頃部２１２を切り出すために布２００を裁断する位置を案内していて、裁断線２１４ｆは、布２００から右袖部２１４を切り出すために布２００を裁断する位置を案内していて、裁断線２１６ｆは、布２００から左袖部２１６を切り出すために布２００を裁断する位置を案内している。
【００３９】
また、画像１００は、転写層３０と共に布２００に転写されることで、布２００に、布２００を折る位置を案内する折位置案内部の一例である折線２１０ｇ、折線２１２ｇ、折線２１４ｇ、折線２１６ｇを形成する。尚、図２に示すように、この実施形態においては、それぞれの折線は、布２００に点線として形成される。
【００４０】
また、画像１００は、転写層３０と共に布２００に転写されることで、布２００に接合領域２１０ｈ、接合領域２１２ｈ、接合領域２１４ｈ、接合領域２１６ｈを形成する。接合領域は、布２００から切り出された布片を互いに接合するための領域である。
【００４１】
図３は、布２００から切り出された前身頃部２１０の端部に施される処理（以下、端部処理とする）を説明する図である。図３に示すように、前身頃部２１０は、接着領域２１２ｄと折返領域２１２ｅとの間の折線２１２ｇで折られて、さらには、表面領域２１０ａと折返領域２１０ｅとの間の折線２１２ｇで折られる。そして、接着領域２１０ｄが前身頃部２１０の裏側の面に接触した状態で、接着領域２１０ｄが加熱されると、接着領域２１０ｄに転写された転写層３０が接着性を発揮し、接着領域２１０ｄが前身頃部２１０の裏側の面に接着される。
【００４２】
そして、接着部２１２ｇが前身頃部２１０の裏側の面に接着されることで、前身頃部２１０は、端部でのほつれが生じにくくなる。以上、前身頃部２１０を例として説明をしたものの、後身頃部２１２と、右袖部２１４と、左袖部２１６とでも、前身頃部２１０と同様に端部処理がなされる。
【００４３】
図４には、布２００から切り出された前身頃部２１０が示されていて、図５には、布２００から切り出された左袖部２１６が示されている。図４に示すように、前身頃部２１０には、通し番号が付されている。通し番号は、手順案内部の一例であって、前身頃部２１０を処理する処理する処理手順を案内している。より具体的には、番号１は、最初に処理するべき位置を案内し、番号２は、２番目に処理するべき位置を案内し、番号３は、３番目に処理する位置を案内し、番号４は、４番目に処理する位置を案内している。
【００４４】
ここで、番号１は、接着領域２１０ｄを接着することで番号１を目視できなくなる位置である接着領域２１０ｄにではなく、接着領域２１０ｄを接着しても目視で確認できる位置である折返領域２１０ｅに付されている。
【００４５】
通し番号は、付された位置で施すべき処理の種類に応じて、書体や色等を異なるものとしてもよい。例えば、折り返して、接着領域２１０ｄを接着する処理を施す位置に付された番号１と、他の布片とを接合のために折線２１０ｇを折る位置に付された番号２、番号３、番号４とを、書体や数字を異なるものとしてもよい。
【００４６】
図５に示すように、左袖部２１６にも、前身頃部２１０と同様に、処理手順を案内する通し番号が付されている。
【００４７】
また、図４と図５とに示すように、前身頃部２１０と左袖部２１６とには、例えば５０音順に、例えばカタカナの文字列が付されている。文字列は、接合位置案内部の一例であって、裁断後の複数の布片を互いに接合する位置を案内している。例えば、接合後に複数の布片の一例である前身頃部２１０と左袖部２１６とは、文字ウと付された位置で互いに接合される。ここで、例えば、前身頃部２１０と左袖部２１６と等の複数の布片の接合は、複数の布片どうしを重ねて、重ねた部分を加熱することによりなされる。
【００４８】
以上、前身頃部２１０と左袖部２１６を例として説明をしたものの、後身頃部２１２と左袖部２１６とを例として説明をしたものの、後身頃部２１２と右袖部２１４とにも、前身頃部２１０や左袖部２１６と同様に、番号と文字列とが付されている。
【００４９】
以上のように構成された転写シート１０を用いると、画像１００を布２００に転写することで布２００に柄が形成されるため、布製品を製造するための布として、例えば白無地の布を選択すればよくなり、布製品に合致した柄の布を選定する必要がなくなる。また、以上のように構成された転写シート１０を用いると、布２００に、例えば裁断線２１０ｆ等に裁断線が形成されるため、裁断に先立ち、例えばチャコペンを用いて布に型紙を転写する必要がなくなる。
【００５０】
また、以上のように構成された転写シート１０を用いると、例えば転写シート１０が布の補強の役割を果たし布のほつれが抑制されるため、例えば、ロックミシンで布の端部をまつり縫いしたり、布の端部のほつれを防止するための帯状の部材を布の端部に取り付けたりする処理が不要になり、布２００に端部のほつれを抑制するための処理が簡単になる。
【００５１】
また、以上のように構成された転写シート１０を用いると、加熱により複数の布片を接合することができるため、例えば複数の布片を待ち針で仮止めし、例えば仮縫した後の複数の布片を接合するための本縫が不要になる。
【符号の説明】
【００５２】
１０・・・転写シート
２０・・・基体
３０・・・転写層
１００・・・画像
２００・・・布
２１０・・・前身頃部
２１２・・・後身頃部
２１４・・・右袖部
２１６・・・左袖部
２１０ａ、２１２ａ、２１４ａ、２１６ａ・・・表面領域
２１０ｂ、２１２ｂ・・・ストライブ柄
２１０ｃ・・・リボン柄
２１０ｄ、２１２ｄ、２１４ｄ、２１６ｄ・・・接着領域
２１０ｅ、２１２ｅ、２１４ｅ、２１６ｅ・・・折返領域
２１０ｆ、２１２ｆ、２１４ｆ、２１６ｆ・・・裁断線
２１０ｇ、２１２ｇ、２１４ｇ、２１６ｇ・・・折線
２１０ｈ、２１２ｈ、２１４ｈ、２１６ｈ・・・接合領域
２３０・・・転写領域
２３２・・・非転写領域
【図１】
2020084332.tif 000003
【図２】
2020084332.tif 000004
【図３】
2020084332.tif 000005
【図４】
2020084332.tif 000006
【図５】
2020084332.tif 000007